(57)【要約】【課題】接点要素の種々の装着方法を実現し、また容易に修理できるプラグインコネクタを提供すること。【解決手段】本発明は、背面（１７）に向けて開口した接点用穴部を有するコネクタハウジング１２を備えたプラグインコネクタである。接点用穴部は、前方接点ショルダー部を有する接点要素固定手段が設けられた接点要素（１１）、を受け入れるための接点要素受入れ手段と、接点要素固定手段を案内するための案内溝と、を含む。案内溝は、接点要素受入れ手段の一方の側面に配置され、前方接点ショルダー部に対応する第１側壁部が前端に設けられた第１案内溝と、接点要素受入れ手段の他方の側面に配置され、接点要素を９０度または１８０度回転させた位置のいずれかにおいて選択的に装着可能となるように、前方接点ショルダー部に対応する第２側壁部が前端に設けられた第２案内溝と、を含む。【選択図】図１
2008130569.tif 000002
【特許請求の範囲】
【請求項１】
背面に向けて開口した接点用穴部を有するコネクタハウジングを備えたプラグインコネクタであって、
前記接点用穴部は、
前方接点ショルダー部を有する接点要素固定手段が設けられた接点要素、を受け入れるための接点要素受入れ手段と、
前記接点要素固定手段を案内するための案内溝と、を含み、
当該案内溝は、
前記接点要素受入れ手段の一方の側面に配置され、前記前方接点ショルダー部に対応する第１側壁部が前端に設けられた第１案内溝と、
前記接点要素受入れ手段の他方の側面に配置され、前記接点要素を９０度または１８０度回転させた位置のいずれかにおいて選択的に装着可能となるように、前記前方接点ショルダー部に対応する第２側壁部が前端に設けられた第２案内溝と、を含む、
プラグインコネクタ。
【請求項２】
前記案内溝は、接点要素受入れ手段の中心軸に関して回転対称配置で設けられることを特徴とする、請求項１に記載のプラグインコネクタ。
【請求項３】
前記接点要素は正方形接点要素であって、
前記接点要素受入れ手段は当該正方形接点要素を受け入れるための正方形断面を有することを特徴とする、請求項１に記載のプラグインコネクタ。
【請求項４】
前記接点要素は長方形接点要素であって、
前記接点要素受入れ手段は当該長方形接点要素を受け入れるための長方形断面を有することを特徴とする、請求項１に記載のプラグインコネクタ。
【請求項５】
前記接点要素は長方形接点要素であって、
前記接点用穴部は、当該長方形接点要素を９０度または１８０度回転させた位置のいずれかにおいて選択的に受け入れるため、互いに交差した配置で設けられる２つの接点要素受入れ手段を有することを特徴とする、請求項１に記載のプラグインコネクタ。
【請求項６】
前記第２案内溝が前記第１案内溝の反対側に設けられることを特徴とする、請求項１に記載のプラグインコネクタ。
【請求項７】
前記第１側壁部の剛性は、取り付けられた接点要素が最小引抜力と最大引抜力との間の所定の力を加えることによって、挿入方向における前面を経て前記接点用穴部から引き抜くことが可能となるようにして決定されることを特徴とする、請求項１に記載のプラグインコネクタ。
【請求項８】
前記第１側壁部の剛性は、前記接点要素が引き抜かれる際に、前記接点要素固定手段の前方接点ショルダー部が第１側壁部を曲げるようにして決定されることを特徴とする、請求項１または７に記載のプラグインコネクタ。
【請求項９】
前記第１側壁部の剛性は、前記接点要素が引き抜かれる際に、前記接点要素固定手段の前方接点ショルダー部が第１側壁部を破断させるようにして決定されることを特徴とする、請求項１または７に記載のプラグインコネクタ。
【請求項１０】
前記接点要素の前方接点ショルダー部は、前記第１側壁部および第２側壁部で支持されることを特徴とする、請求項１に記載のプラグインコネクタ。
【請求項１１】
前記接点要素固定手段は後方傾斜部を有することを特徴とする、請求項１０に記載のプラグインコネクタ。
【請求項１２】
前記接点要素固定手段は後方傾斜部を有しており、
接点要素がプラグインコネクタの前面から引き抜かれる際に、後方傾斜部が前記第２側壁部を曲げるように、第２側壁部の剛性および後方傾斜部が調整されることを特徴とする、請求項７〜１０のいずれかに記載のプラグインコネクタ。
【発明の詳細な説明】
【技術分野】
【０００１】
本発明は、背面に向けて開口した接点用穴部を有するコネクタハウジングを備えたプラグインコネクタに関する。
【背景技術】
【０００２】
特許文献１は、交換型接点クリップを含むプラグインコネクタについて記載している。プラグインコネクタを取り付けた状態では、接点クリップはそれらを装着するために背面から自由に接近できるコネクタハウジングの接点用穴部に配置される。各接点クリップはその後端にばね脚を有しており、それは接点クリップを取り付けた状態では全接点クリップに対して設けられた保持ストリップ内の凹所にはまっている。接点クリップを交換するために、まず前記ばね脚を保持ストリップから折り曲げる。次に、ピンレンチとして設計された引抜き工具を接点クリップに挿入して、背面から交換する。この引抜き工具は背部から接点クリップと係合し、引っ張りながら引抜く。新しい接点クリップをコネクタハウジングの背面から接点用穴部に挿入すれば、ばね脚を再び保持ストリップに取り付けることができる。
【０００３】
特許文献２は、修理の場合に交換できる部材を備えたプラグインコネクタについて記載している。プラグインコネクタは、絶縁要素と呼ばれる接点ブロックに確実に設置された複数の接点ピンを含む。プラグインコネクタを取り付けた状態では、接点ブロックはコネクタハウジング内にある。プラグ接続を行うために、同様に接点ブロックに確実に設置された複数の接点ピンを含む対応するプラグインコネクタが設けられている。接点管を内蔵するアダプタ部材と呼ばれる別の絶縁要素が一方のプラグインコネクタまたは対応するプラグインコネクタのいずれかに係合することによって、プラグ接続が可能となる。該接点管を内蔵した別の絶縁要素は、該別の絶縁要素が係合することになっているプラグインコネクタのハウジング内に設置され、そこで、接点ピンを含む絶縁要素にねじ込まれる。該別の絶縁要素を装着すると、それぞれのプラグインコネクタの接点ピンは接点管に挿入される。プラグインコネクタを接続した状態で、対応するプラグインコネクタの接点ピンを同様に接点管に挿入し、接点管を介して電気的接続を確立する。まず、該接点管を内蔵した別の絶縁要素をねじ込み接続によるプラグインコネクタの前面から交換できる。続いて、プラグインコネクタのハウジングに設置された接点ピンを備えた絶縁部も完全なユニットとして交換できるが、そのためにはプラグインコネクタの背面の接点ピンの接続部、例えばケーブルまたは基板との半田継目を分離しなければならない。
【０００４】
特許文献３は、接点要素を受け入れるために設けられた接点用穴部を内蔵したプラグインコネクタのハウジングを記載している。そのような接点用穴部は、種々の接点要素が１つの同じ接点用穴部に取り付けられる種々の案内溝および／または凹所を含む。例えば、拡張部または接点ショルダー部の設計が互いに異なる矩形接点要素を受け入れるべく意図された接点用穴部区域を設けることができる。異なる接点要素の取付けは、いずれの場合もコネクタハウジングの背面から実施される。
【０００５】
プラグインコネクタの機械的負荷または例えばプラグインコネクタが傾斜して取り付けられた場合にプラグ接続を行う際に生じた故障のために、各接点要素の欠陥が生じ得る。個々の接点要素の交換が可能でない場合には、高いコストで接続した完全なプラグインコネクタ一を交換せねばならない。この交換は、プラグインコネクタが多数の接点要素を含む場合に特に複雑である。このようなプラグインコネクタは、例えば特許文献４に記載されているが、そこではプラグ接続は背板と小型ＰＣＩシステムとして知られるプラグイン型カードとの間で行われる。特に、このプラグインコネクタは半田継目により基板と接続されているため、プラグインコネクタの背部はプラグインコネクタの半田継目を分離しないかぎり自由に操作できないという理由で、個別の接点要素の交換はうまくいかないことがある。
【特許文献１】ドイツ実用新案ＤＥ２９５  １１  ９９８
【特許文献２】ドイツ特許出願ＤＥ３０  ４２  ２９３
【特許文献３】ドイツ特許出願ＤＥ１０３  ２１  ３４８
【特許文献４】ドイツ特許出願ＤＥ１９８  ０７  ７１３
【発明の開示】
【発明が解決しようとする課題】
【０００６】
したがって、本発明の目的は接点要素の種々の装着方法を実現し、また容易に修理できるプラグインコネクタを提供することである。
【課題を解決するための手段】
【０００７】
本発明に係るコネクタハウジングを備えたプラグインコネクタは、前記コネクタハウジングが背面に開口した、少なくとも１つの接点用穴部を有しており、該接点用穴部は１つの接点要素を受け入れるための少なくとも１つの接点要素受入れ手段と、前記接点要素に設けられた接点要素固定手段を案内するための少なくとも１つの案内溝とを含む。接点要素受入れ手段の一方の側面に設けられた第１案内溝は、接点要素固定手段の前方接点ショルダー部に対応する第１側壁部をその前端に備えている。接点要素を選択的に９０度または１８０度だけ回転した位置に装着させるために、同様に接点ショルダー部に対応する第２側壁部をその前端に備えた、第２案内溝が接点要素受入れ手段の他方の側面に設けられる。
【０００８】
本発明に基づいて提供される特徴により、コネクタハウジングの少なくとも１つの接点用穴部には選択的に第１位置または他の位置において接点要素を装着することができる。本発明は、異なる接点要素装着構造に対して変更を要しないコネクタハウジングを提供する。したがって、接点要素の装着構成に関する特別な要求に対して迅速に対処することができる。別々のハウジング設計をもはや必要としない事実により、大量生産および在庫保有上のメリットが得られる。
【０００９】
接点用穴部の背面開口という設計により、接点要素を省力的な挿入工程によってコネクタハウジングに容易に取り付けることができる。
【００１０】
本発明に係るプラグインコネクタの１つの長所は、完全に実装されたプラグインコネクタも変更可能であるという事実にある。なぜならば、接点要素を接点用穴部から後方に引き抜いて、必要に応じて９０度または１８０度だけ回転した位置に再度挿入できるからである。例えば、初期の第１の長さの接点要素をそれとは別の長さの接点要素と交換することができる。
【００１１】
本発明に係るプラグインコネクタの特に実質的な長所は、接点要素が既に印刷回路基板に半田付けされた、プラグインコネクタの実装状態でも、個別の接点要素が交換可能であるという点にある。
【００１２】
修理の場合には、破損した、摩滅した、あるいはその他の欠陥のある接点要素をコネクタハウジングの前面から引き抜くことができ、さらに、特に初期組立工程時に接点要素の前方接点ショルダー部を支持する第１側壁部の特定の設計によって、第１側壁部を曲げる、あるいは破断させるようにすることができる。第２案内溝および第２側壁部が９０度または１８０度回転した位置に選択的に設けられるという事実により、当該接点要素はプラグインコネクタの前面から再度接点用穴部に挿入され、さらに９０度または１８０度回転させられ得るが、この場合には、接点要素の前方接点ショルダー部を支持する第２側壁部がプラグインコネクタの前面からの接点要素の再度の組立て中に損傷しないことが前提となる。
【００１３】
本発明に係るプラグインコネクタのその他の長所および構成は、従属請求項に明示されている。
【００１４】
ある実施形態では、案内溝は接点要素受入れ手段の側面に関して回転対称的に配置されるということが提供される。これにより、組立て状態で接点用穴部内に配置される接点要素部分に種々の形状を与えることができる。
【００１５】
ある実施形態によれば、接点要素受入れ手段は、正方形接点要素を受け入れるために、正方形断面を有する。別の形態によれば、接点要素受入れ手段は、長方形接点要素を受け入れるために、長方形断面を有する。これにより、本発明に係るプラグインコネクタは、例えば耐電流性能または高周波特性などに関する特定の要件に応じて最適化が可能な種々の形状の接点要素に適合させることができる。例えば、長方形構造の接点要素は特に低インダクタンス値を提供するゆえに、実装されたプラグインコネクタは特に優れた高周波特性を発揮する。
【００１６】
組立工程に関する特別な柔軟性は、接点用穴部が互いに交差して配置される２つの接点要素受入れ手段を含む場合に得られる効果である。これにより、接点要素を選択的に９０度または１８０度だけ回転した位置に取り付けることができる。そのような構造の場合には、最初の側壁部に加えて３つの追加側壁部が設けられるため、接点要素の最初の組立て後に当該接点要素は回転により３回の修理を行うことができる。接点用穴部は第１案内溝に加えて、接点要素受入れ手段の反対側の単一の第２案内溝を設けることによって、低コストの構造が得られる。
【００１７】
ある実施形態は、取り付けられた接点要素が最小引抜力と最大引抜力との間の所定の力を加えることによってプラグインコネクタの前面を経て接点用穴部から引き抜かれることが可能となる第１側壁部の剛性に関する。
【００１８】
修理のために、この第１側壁部の剛性は、接点要素が前面から引き抜かれる際に該側壁部が曲げられる、あるいは破断させられるように決めることができる。この際に考慮すべきは、引き抜かれた接点要素はもはや使用できないことである。
【００１９】
本発明に係るプラグインコネクタの別の有利な構成によれば、接点要素の前方接点ショルダー部は、第１側壁部および第２側壁部で支持される。好ましくは、接点要素固定手段は特定構造の後方傾斜部を有する。
【００２０】
修理時に新たな側壁部として機能する第２側壁部の剛性および上記後方傾斜部は互いに調整され、プラグインコネクタの前部から接点要素を取り付ける際には、後方傾斜部は第２側壁部を僅かに曲げる。
【発明を実施するための最良の形態】
【００２１】
本発明のいくつかの実施例を以下に説明するが、それらは各図において示されている。
【００２２】
図１は、構成要素を取り付けた状態の本発明に係るプラグインコネクタ１０の前部斜視図である。プラグインコネクタ１０は、コネクタハウジング１２内に配置された複数の接点要素１１ａ，１１ｂ，１１ｃを含む。図示された例では、コネクタハウジング１２は接点要素１１ａ，１１ｂ，１１ｃと同様に挿入方向１４に延びる側面案内要素１３ａ，１３ｂ，１３ｃ，１３ｄを含む。図示された実施例では、接点要素１１ａ，１１ｂ，１１ｃの接点ピン１６ａ，１６ｂ，１６ｃがプラグインコネクタ１０の前面１５に配置され、接点要素１１ａ，１１ｂ，１１ｃの半田付け用継目１８ａ，１８ｂ，１８ｃがプラグインコネクタ１０の背面に配置されている。
【００２３】
図２および図３は、例えば互いに隣接してプラグインコネクタ１０内に設置された３つの接点要素１１ａ，１１ｂ，１１ｃの斜視図である。図１に示された部品と同一の図２および図３に示された部品には、同じ参照番号が付けられている。この原則はその他の図面にも適用される。図示された実施形態において、接点要素１１ａ，１１ｂ，１１ｃは接点ピン１６ａ，１６ｂ、１６ｃとして具現されている。本発明に係るプラグインコネクタ１０の接点要素１１ａ，１１ｂ，１１ｃはまた、接点クリップとして構成することもできる。接点ピン１６ａ，１６ｂ，１６ｃは、異なる長さを有してもよい。
【００２４】
接点要素１１ａ，１１ｂ，１１ｃは、例えばエンボス加工により接点ブレード１６ａ，１６ｂ，１６ｃの一側面に形成される接点要素固定手段２１ａ，２１ｂ，２１ｃを含む。これらの接点要素固定手段２１ａ，２１ｂ，２１ｃのそれぞれは、前方接点ショルダー部２２ａ，２２ｂ，２２ｃならびに後方傾斜部２３ａ，２３ｂ，２３ｃを含む。接点要素固定手段２１ａ，２１ｂ，２１ｃは、以下の各図に示された側壁部と協働する。
【００２５】
図４は、本発明に係るプラグインコネクタ１０の背面１７の詳細上面図を示す。図示されているのは背面に向けて開口した接点用穴部３０であり、挿入方向１４において延びている。この接点用穴部３０は、接点要素受入れ手段３１および接点要素受入れ手段３１の一方の側面に設けられた第１案内溝３２ａと、接点要素受入れ手段３１の他方の側面に設けられた第２案内溝３２ｂとを含む。
【００２６】
第１案内溝３２ａの前端は第１側壁部３４ａにより画定されており、また第２案内溝３２ｂは第２の側壁部３４ｂにより画定されている。２つの案内溝３２ａ，３２ｂは、接点要素受入れ手段３１の中心軸３３に関して左右対称に配置される。
【００２７】
接点要素受入れ手段３１は、接点要素１１ａ，１１ｂ，１１ｃを受け入れるための矩形断面を有する。接点要素１１ａ，１１ｂ，１１ｃが先ず接点用穴部３０内に装着されると、接点要素１１ａ，１１ｂ，１１ｃの接点要素固定手段２１ａ，２１ｂ，２１ｃは、第１案内溝３２ａまたは第２案内溝３２ｂのいずれかに挿入され得る。挿入先の選択が可能であるために、プラグインコネクタ１０の生産をより柔軟に行うことができる。図示された実施形態では、接点要素固定手段２１ａ，２１ｂ，２１ｃが第１案内溝３２ａと係合している。この場合には、第２案内溝３２ｂは空のままである。
【００２８】
接点要素１１ａ，１１ｂ，１１ｃの前方接点ショルダー部２２ａ，２２ｂ，２２ｃは、取付状態では第１側壁部３４ａにより支持され、それによって、接点要素１１ａ，１１ｂ，１１ｃが接点用穴部３０において適所に固定され、プラグインコネクタ１０から前方へ抜け落ちることが阻止される。側壁部３４ａは、接点要素１１ａ，１１ｂ，１１ｃをプラグインコネクタ１０から前方へ引き抜くのに要する引抜力を特定の値に決定する機能を果たす。
【００２９】
プラグインコネクタ１０の接点要素１１ａ，１１ｂ，１１ｃに作用する機械的負荷のために、各接点要素１１ａ，１１ｂ，１１ｃが湾曲あるいは破断する恐れがある。プラグインコネクタ１０に対して多数回の挿入作業が行われる場合には、各接点要素１１ａ，１１ｂ，１１ｃの表面に損傷が生じ得る。その際には、接点要素１１ａ，１１ｂ，１１ｃの半田付け端子１８ａ，１８ｂ，１８ｃを基板（詳細を図示せず）、例えば背面に半田付けした多数の既存の半田継目によって、プラグインコネクタ１０全体を交換することは極めて煩雑な作業となるであろう。
【００３０】
このプラグインコネクタ１０では、第１案内溝３２ａに加えて、少なくとも１つの別の案内溝３２ｂを設けることにより、損傷した接点要素１１ａ，１１ｂ，１１ｃのみの半田除去を行ってプラグインコネクタ１０を修理することができる。半田除去を行った後に、当該接点要素１１ａ，１１ｂ，１１ｃを側壁部３４ａの抵抗を抑えてプラグインコネクタ１０の前面１５を経て接点用穴部３０から引き抜く。このためには、引抜力を越える力を加える必要がある。
【００３１】
当該接点要素１１ａ，１１ｂ，１１ｃを引き抜く際の側壁部３４ａの挙動は、側壁部３４ａの剛性を指定することにより予め決定することができる。例えば引抜き作業中に側壁部３４ａのみが前方接点ショルダー部２２ａによって変形するように、剛性を指定することができる。あるいは、前方接点ショルダー部２２ａ，２２ｂ，２２ｃが引出し作業中に側壁部３４ａを破断させるように、剛性を指定することができる。
【００３２】
次に接点要素１１ａ，１１ｂ，１１ｃは、図４に示された例では例えば１８０度回転させられる。その後に接点要素１１ａ，１１ｂ，１１ｃは、プラグインコネクタ１０の前面１５から挿入方向１４に挿入され、再度接点用穴部３０へ装着される。この作業中に接点要素固定手段２１ａ，２１ｂ，２１ｃの後方傾斜部２３ａ，２３ｂ，２３ｃは、当初の挿入先とは異なるという意味で「他方の」案内溝の「他方の」側壁部、すなわち図示された例では第２案内溝３２ｂの第２側壁部３４ｂを曲げていき、最終的には、接点要素１１ａ，１１ｂ，１１ｃが側壁部３４ｂを損傷することなく接点用穴部３０の接点要素受入れ手段３１に押し込まれるように作用する。修理後に、前方接点ショルダー部２２ａ，２２ｂ，２２ｃは取付状態において、他方の側壁部３４ｂ上で支持される。
【００３３】
後方傾斜部２３ａ，２３ｂ，２３ｃならびに少なくとも１つの他方の側壁部３４ｂの剛性は、適正に調整されなければならない。修理のときにプラグインコネクタ１０の前面１５から接点要素１１ａ，１１ｂ，１１ｃを押し込む作業は、第１側壁部３４ａが破断してもはや存在しないか、または、接点要素固定手段２１ａ，２１ｂ，２１ｃが他方の側壁部３４ｂを通過する際に接点要素１１ａ，１１ｂ，１１ｃが僅かにでも第１案内溝３２ａに進入できる程度まで変形、すなわち曲げられることで促進される。
【００３４】
接点要素１１ａ，１１ｂ，１１ｃの組立てを促進するために、組み立てられた接点要素１１ａ，１１ｂ，１１ｃと側壁部３４ａ，３４ｂとの間に空隙３５ａ，３５ｂを設けることができる。少なくとも、空隙３５ｂは少なくとも１つの他方の案内溝３２ｂに設けられる。
【００３５】
図５は、同様に長方形の接点要素受入れ手段４１および接点要素受入れ手段４１の反対側に配置された２つの側壁部４４ａ，４４ｂを備えた２つの案内溝４２ａ，４２ｂからなる接点用穴部４０の実施形態を示す。図５に示された実施形態において、案内溝４２ａ，４２ｂは、図４に示された実施形態におけるように接点要素受入れ手段４１の中心線４３に関してもはや左右対称ではなく、回転対称で配置される。接点用穴部４０の実施形態は、詳細には示されていない接点要素１１ａ，１１ｂ，１１ｃの中心線の横方向に配置された接点要素固定手段２１ａ，２１ｂ，２１ｃと協働するように設計されている。
【００３６】
図６は、正方形断面の接点要素１１ａ，１１ｂ，１１ｃを受け入れるための正方形断面を備えた接点用穴部５０の実施形態を示す。さらに、４つの案内溝５２ａ，５２ｂ，５２ｃ，５２ｄは、接点用穴部５０の中心線５３に関して互いに鏡像対称的に配置されている。
【００３７】
正方形断面を備えた接点要素１１ａ，１１ｂ，１１ｃは、特に低周波の大電流を送るのに適している。但し、上記の構成において使用された長方形断面と比べて、この場合にはインダクタンスが増加する。したがって、長方形接点要素１１ａ，１１ｂ，１１ｃに基づく図４および図５に示された構成は、低インダクタンスが高周波まで保証する必要がある、優れた高周波特性を備えたプラグイン型接続を実現するのに特に適している。同様に、接点要素１１ａ，１１ｂ，１１ｃの均一な形状は、プラグインコネクタ１０全体に対する低インダクタンスを達成するために寄与する。
【００３８】
２つ以上の案内溝５２ａ，５２ｂ，５２ｃ，５２ｄを有する図６に示された実施形態は、コネクタハウジング１２において、より多くのスペースを必要とするが、他方ではより多くの回数の修理の可能性を提供する。例えば図示された実施形態では３回の修理を行うことができる。
【００３９】
図７は、図６に類似した実施形態を示すが、図７では、案内溝６２ａ，６２ｂ，６２ｃ，６２ｄは接点要素受入れ手段５１の中心線５３に関してもはや鏡像対称的に配置されておらず、単に回転対称で配置されている。
【００４０】
図８は、互いに交差する長方形断面を備えた２つの接点要素受入れ手段７１ａ，７１ｂに基づく接点用穴部７０の別の実施形態を示す。この実施形態では、両接点要素受入れ手段７１ａ，７１ｂの中心軸７３は互いに合致している。
【００４１】
図８に示された実施形態は、本発明に係るプラグインコネクタ１０の製造中における接点要素１１ａ，１１ｂ，１１ｃの装着態様の選択肢を増加させる。すなわち、長方形断面を備えた接点要素１１ａ，１１ｂ、１１ｃを使用する場合、汎用コネクタハウジング１２は、事前に組み立て可能であって、接点要素１１ａ，１１ｂ，１１ｃが第１方向に向けられるべきであるか、あるいはその第１方向から９０度だけ回転させた方向に向けられるべきであるかという決定は、接点要素１１ａ，１１ｂ，１１ｃがコネクタハウジング１２に装着される時点に行うことが可能である。なお、図８に示された実施形態では、接点要素１１ａ，１１ｂ、１１ｃの１８０度の回転はいつでも可能である。
【００４２】
同様に、図９は互いに交差する長方形断面を備えた２つの接点要素受入れ手段７１ａ，７１ｂを備えた接点用穴部８０の実施形態を示す。案内溝８２ａ，８２ｂ，８２ｃ，８２ｄは、図８に示された実施形態のように接点要素受入れ手段７１ａ，７１ｂの中心線７３に関してもはや鏡像対称的に配置されておらず、単に回転対称で配置されている。
【００４３】
図１０は、接点要素１１ａ，１１ｂ，１１ｃが装着されていない状態のプラグインコネクタ１０の背面１７の斜視図である。同図は、一例として図４の接点用穴部３０に基づいている。図１０は、案内溝３２ａ，３２ｂの側壁部３４ａ，３４ｂの位置を示している。
【００４４】
図１１は、接点要素１１ａ，１１ｂ，１１ｃが装着された状態のプラグインコネクタ１０の背面１７の斜視図である。図では、接点要素１１ａ，１１ｂ，１１ｃの半田付け端子１８ａ，１８ｂ，１８ｃのみがコネクタハウジング１２の背面から突き出ている。
【００４５】
図１２は、プラグインコネクタ１０の横断面図を示す。図１２は接点用穴部３０，４０，５０，６０，７０，８０に対応した図であるが、図示された実施形態は図４に示された接点用穴部３０に基づいている。接点要素１１ａ，１１ｂ，１１ｃは装着状態で示されており、接点要素固定手段２１ａ，２１ｂ，２１ｃの前方接点ショルダー部２２ａ，２２ｂ，２２ｃは第１案内溝３２ａの第１側壁部３４ａと接触している。
【００４６】
図１３は、装着された接点要素１１ａの部分を備えたコネクタハウジング１２の前面１５の斜視図を示す。長方形断面を備えた接点ブレード１６ａとして実現される接点要素１１ａが示されている。さらに、図４に示された接点用穴部と同様に構成された接点用穴部３０が設けられている。したがって、案内溝３２ａ，３２ｂの側壁部３４ａ，３４ｂは接点ブレード１６ａの両方の広幅面側に位置している。
【図面の簡単な説明】
【００４７】
【図１】構成要素を取り付けた状態の本発明に係るプラグインコネクタの前面斜視図である。
【図２】接点要素の斜視図である。
【図３】接点要素の斜視図である。
【図４】異なる構造を備えた接点用穴部の背面の上面図である。
【図５】異なる構造を備えた接点用穴部の背面の上面図である。
【図６】異なる構造を備えた接点用穴部の背面の上面図である。
【図７】異なる構造を備えた接点用穴部の背面の上面図である。
【図８】異なる構造を備えた接点用穴部の背面の上面図である。
【図９】異なる構造を備えた接点用穴部の背面の上面図である。
【図１０】構成要素を取り付けていない本発明に係るプラグインコネクタの背面の上面図である。
【図１１】構成要素を取り付けた状態の本発明に係るプラグインコネクタの背面の上面図である。
【図１２】本発明に係るプラグインコネクタの横断面図である。
【図１３】構成要素の一部を取り付けた状態の本発明に係るプラグインコネクタの前面斜視図である。
【符号の説明】
【００４８】
１１ａ，１１ｂ，１１ｃ…接点要素、
１２…コネクタハウジング、
２１ａ，２１ｂ，２１ｃ…接点要素固定手段、
２２ａ，２２ｂ，２２ｃ…前方接点ショルダー部、
２３ａ，２３ｂ，２３ｃ…後方傾斜部、
３１，５１，７１ａ，７１ｂ…接点要素受入れ手段、
３２ａ，４２ａ，５２ａ，６２ａ，７２ａ，８２ａ…第１案内溝、
３４ａ，４４ａ，５４ａ，６４ａ，７４ａ，８４ａ…第１側壁部、
３２ｂ，４２ｂ，５２ｂ，５２ｃ，５２ｄ，６２ｂ，６２ｃ，６２ｄ，７２ｂ，７２ｃ，７２ｄ，８２ｂ，８２ｃ，８２ｄ…第２案内溝、
３４ｂ，４４ｂ，５４ｂ，５４ｃ，５４ｄ，６４ｂ，６４ｃ，６４ｄ，７４ｂ，７４ｃ，７４ｄ，８４ｂ，８４ｃ，８４ｄ…第２側壁部、
３０，４０，５０，６０，７０，８０…接点用穴部
【図１】
2008130569.tif 000003
【図２】
2008130569.tif 000004
【図３】
2008130569.tif 000005
【図４】
2008130569.tif 000006
【図５】
2008130569.tif 000007
【図６】
2008130569.tif 000008
【図７】
2008130569.tif 000009
【図８】
2008130569.tif 000010
【図９】
2008130569.tif 000011
【図１０】
2008130569.tif 000012
【図１１】
2008130569.tif 000013
【図１２】
2008130569.tif 000014
【図１３】
2008130569.tif 000015